(57)【特許請求の範囲】
【請求項１】
ロール状ペーパーの巻き硬さ判定方法であって、
前記ロール状ペーパーを、中心軸を水平にしつつ水平面上に横置きし、その胴部外周と前記水平面との接触部からロール芯の最下端部までの高さを測定する工程１と、
前記ロール状ペーパーの前記ロール芯内部に、所定の重量の錘を入れ、前記ロール状ペーパーの前記胴部外周と前記水平面との接触部から前記ロール芯の最下端部までの高さを測定する工程２と、
前記工程１及び２において測定した値の差である沈み込み深さを求め、前記沈み込み深さが所定の範囲に含まれるかどうかを確認する工程３とを含み、
前記工程２における前記錘の形状が、その直径が前記ロール状ペーパーの前記ロール芯の直径よりも小さい円柱であるロール状ペーパーの巻き硬さ判定方法。
【請求項２】
前記円柱の前記錘の中心軸方向長さが、前記ロール状ペーパーの中心軸方向長さと同一である請求項１に記載のロール状ペーパーの巻き硬さ判定方法。
【請求項３】
前記ロール状ペーパーがトイレットペーパーである請求項１又は２に記載のロール状ペーパーの巻き硬さ判定方法。
【請求項４】
前記工程２における前記錘の重量が５００〜６００ｇである請求項３に記載のロール状ペーパーの巻き硬さ判定方法。
【請求項５】
前記工程２における前記錘の材質が密度７．５〜８．５ｇ／ｃｍ３の鋼材である請求項１〜４のいずれか一項に記載のロール状ペーパーの巻き硬さ判定方法。
【請求項６】
請求項１〜５に記載のロール状ペーパーの巻き硬さ判定方法において用いられるロール状ペーパーの巻き硬さ判定治具であって、
錘と、ロール状ペーパーが載り得る水平な台座とを備えたロール状ペーパーの巻き硬さ判定治具。
【請求項７】
前記台座が錘収納部を備えた請求項６に記載のロール状ペーパーの巻き硬さ判定治具。
【発明の詳細な説明】
【技術分野】
【０００１】
本発明はロール状ペーパーの巻き硬さ判定方法及びその判定治具に関する。
【背景技術】
【０００２】
ロール状ペーパー製品には、トイレットペーパー、キッチンペーパー、ペーパータオル等、様々な種類があるが、一般に、１枚（１プライと言う）、２枚重ね（２プライと言う）、又は３枚重ね（３プライと言う）のシートを所定巻き長さで巻き取って形成され、通常は、複数個のロール状ペーパーが袋詰めされ店頭にて陳列販売される。特にトイレットペーパーのような人体の清拭を目的としたロール製品においては、風合い、柔軟性等その肌触りが良好であると同時に適度な破れ難さを維持していることが、製品購入を決める大きな指標となっており、消費者は、袋詰めされたトイレットペーパーを手にとってみて、その掴んだ感触によって無意識の内にトイレットペーパーを使用する際の感触を連想して、購入するか否かを決めていると考えられる。
【０００３】
例えば、消費者は、トイレットペーパーを掴んだ時にそのロールが硬いと、これを巻きほぐした実際の使用状態たるシート状態でも硬くて使い心地が悪いのではないかと思ったり、あるいはロールがやわらか過ぎれば、前記シート状態でもやわらか過ぎて使用時に破れ易いのではないかと思ったりして、購入時の判断をしている。従って、トイレットペーパーの購買促進の為には、トイレットペーパーを手で掴んだ時の感触、即ちそのロールを掴んだ時に感じる硬さを、適度なレベルに保つ必要がある。
【０００４】
また、同じプライ数及び巻き長さのロール製品でも、硬く巻き取られたものは外径が小さく、やわらかく巻き取られたものは外径が大きくなるため、ロールの巻き硬さが一定の範囲に揃っていないと、袋詰めの際に不具合を生じたり、商品として店頭に並んだ際に美観を損なったりする。つまり、消費者にとって好ましい感触を保つと同時に、製品のサイズの統一を図るという観点からも、生産されたロール状ペーパーの巻き硬さを随時検査し、一定の巻き硬さの製品を安定供給することが求められる。
【０００５】
このようなロール状ペーパーの巻き硬さ判定方法としては、例えば、手で触れて確かめる官能検査や、異なる二段階の圧力をトイレットペーパーの鉛直方向に加えて押し込み深さの差を測定する方法（特許文献１参照）などが知られている。
【０００６】
【特許文献１】特開２００６−４３４５８号公報
【発明の開示】
【発明が解決しようとする課題】
【０００７】
しかしながら、官能検査では、触覚や好み等の個人差が結果に影響するという問題がある。一方、二段階の押し込み深さの差を測定する方法では、押し込み圧子の面積が狭いため、押し込み深さの値が安定するのを待たねばならないほか、極めて小さい値の測定であることから、結果の精密性を期す為に繰り返し測定を行わなくてはならず、手間と時間がかかるという問題がある。また、押し込み深さの測定には専用の計測器が必要で、設置スペースやコストの面からも課題が多い。
【０００８】
本発明は、かかる従来の課題に鑑みて成されたもので、少ない測定回数で安定した結果を得ることができる簡易且つ客観的なロール状ペーパーの巻き硬さ判定方法及びその判定治具を提供することを課題とする。
【課題を解決するための手段】
【０００９】
本発明者は、水平面上に横置きしたロール状ペーパーのロール芯内部に所定の重量の錘を入れ、求めたロールの沈み込み深さの値が所定の範囲に収まっているかを見ることにより上記課題を解決できることを見出した。即ち、本発明によれば、以下のトイレットペーパーの巻き硬さ判定方法及びその判定治具が提供される。
【００１０】
［１］  ロール状ペーパーの巻き硬さ判定方法であって、前記ロール状ペーパーを、中心軸を水平にしつつ水平面上に横置きし、その胴部外周と前記水平面との接触部からロール芯の最下端部までの高さを測定する工程１と、前記ロール状ペーパーの前記ロール芯内部に、所定の重量の錘を入れ、前記ロール状ペーパーの前記胴部外周と前記水平面との接触部から前記ロール芯の最下端部までの高さを測定する工程２と、前記工程１及び２において測定した値の差である沈み込み深さを求め、前記沈み込み深さが所定の範囲に含まれるかどうかを確認する工程３とを含み、前記工程２における前記錘の形状が、その直径が前記ロール状ペーパーの前記ロール芯の直径よりも小さい円柱であるロール状ペーパーの巻き硬さ判定方法。
【００１２】
［２］  前記円柱の前記錘の中心軸方向長さが、前記ロール状ペーパーの中心軸方向長さと同一である前記［１］に記載のロール状ペーパーの巻き硬さ判定方法。
【００１３】
［３］  前記ロール状ペーパーがトイレットペーパーである前記［１］又は［２］に記載のロール状ペーパーの巻き硬さ判定方法。
【００１４】
［４］  前記工程２における前記錘の重量が５００〜６００ｇである前記［３］に記載のロール状ペーパーの巻き硬さ判定方法。
【００１５】
［５］  前記工程２における前記錘の材質が密度７．５〜８．５ｇ／ｃｍ３の鋼材である前記［１］〜［４］のいずれかに記載のロール状ペーパーの巻き硬さ判定方法。
【００１６】
［６］  前記［１］〜［５］に記載のロール状ペーパーの巻き硬さ判定方法において用いられるロール状ペーパーの巻き硬さ判定治具であって、錘と、ロール状ペーパーが載り得る水平な台座とを備えたロール状ペーパーの巻き硬さ判定治具。
【００１７】
［７］  前記台座が錘収納部を備えた前記［６］に記載のロール状ペーパーの巻き硬さ判定治具。
【発明の効果】
【００１８】
本発明によれば、少ない測定回数で安定した結果を得ることができる簡易なロール状ペーパーの巻き硬さ判定方法及びその判定治具が提供される。
【発明を実施するための最良の形態】
【００１９】
以下、図面を参照しつつ本発明の実施の形態について説明する。本発明は、以下の実施形態に限定されるものではなく、発明の範囲を逸脱しない限りにおいて、変更、修正、改良を加え得るものである。
【００２０】
図１Ａ及び図１Ｂは、本発明の一実施形態であるトイレットペーパーの巻き硬さ判定方法を示す模式図であり、以下の手順でトイレットペーパーの巻き硬さは判定される。
【００２１】
（工程１）：
先ず、図１Ａに示す様に、水平な台座３上にトイレットペーパー１をその中心軸が水平になるように横置きする。そして、このトイレットペーパー１の胴部外周と台座との接触部１ａからロール芯の最下端部１ｂまでの高さ５ａを定規４を用いて測定する。
【００２２】
（工程２）：
次いで、図１Ｂに示す様に、同じトイレットペーパー１のロール芯内部１ｃに、所定の重量の錘２を入れ、このトイレットペーパー１の胴部外周と台座との接触部１ａからロール芯の最下端部１ｂまでの高さ５ｂを定規４を用いて測定する。
【００２３】
（工程３）：
工程１において測定した高さ５ａの値と、工程２において測定した高さ５ｂの値との差である沈み込み深さを求め、所定の範囲に含まれるかどうかを確認する。沈み込み深さが所定の範囲に含まれていれば、そのトイレットペーパー１は適切な巻き硬さを有していると判定される。一方、沈み込み深さが所定の範囲に満たない場合は、巻き硬さがきついため製品が硬過ぎる、また所定の範囲を超える場合は、巻き硬さがゆるいため製品がやわらか過ぎる、と判定され、ペーパーの巻き取り強さを調節する必要がある。
【００２４】
次に、本発明のロール状ペーパーの巻き硬さ判定治具について説明する。本発明のロール状ペーパーの巻き硬さ判定方法において用いられる台座３は、水平性及び測定時の安定性が確保でき、ロール状ペーパーが載り得る大きさであれば、特に限定されるものではなく、テーブルや作業台等を用いることもできるが、常に同一の条件下にて測定を行うために、専用のものを用いることが好ましい。その材質としては、長期にわたる反復使用に耐え得る硬度を有し、加工性に優れている点等から、鋼材を用いることが好ましい。
【００２５】
また、台座３は、錘収納部３ａを備えていてもよい。錘収納部３ａは、図１Ａ及び図１Ｂに示すように、シリンダー状のものを台座３に垂直に溶接したものや、図２に示すように、筆箱状のものを台座３に平行に溶接したもの等、使用者の利便性、設置場所、錘２の形状及び寸法等に応じて、所望の形状とすることができる。
【００２６】
錘２は、ロール状ペーパー全体に均等に負荷をかけるために、円柱の形状とする。また、錘２の中心軸方向長さは、巻き硬さを判定するロール状ペーパーの中心軸方向長さと同一であることが好ましい。このような形状及び寸法とすることにより、錘２をロール状ペーパーのロール芯内部１ｃに容易にセットし、素早く沈み込み深さの測定を行うことができる。
【００２７】
また、錘２の重量は、沈み込み深さの測定を行うロール状ペーパーの種類によって、適宜設定することができる。そして、ロール状ペーパーの種類と錘２の重量に応じて、沈み込み深さの許容範囲が決まる。例えば、１プライのトイレットペーパーであれば、錘２の重量は、５７０ｇ〜６００ｇ程度であることが好ましく、その際の沈み込み深さは０．５〜３．０ｍｍであることが好ましい。
【００２８】
錘２の材質としては、上記のような寸法と重量を実現するため、密度７．５〜８．５ｇ／ｃｍ３程度の鋼材を用いることが好ましく、密度７．７〜８．０ｇ／ｃｍ３程度の鋼材を用いることが更に好ましい。
【００２９】
本発明によるロール状ペーパーの巻き硬さ判定方法を用いると、ロール状ペーパーの沈み込み深さを定量化することで巻き硬さを客観的に判定することが可能となり、官能検査のように判定者による個人差が出ることがない。また、本発明における沈み込み深さの測定は、特別な技術を要することもなく、簡易かつ短時間のうちに行うことができ、従来方法において必要であった測定の手間や時間を、大幅に削減することができる。また本発明によるロール状ペーパーの巻き硬さ判定治具は、駆動機構や電源を必要としない上、永年の使用に耐え得るため、コストやエネルギーの観点からも優れており、更に、設置スペースを広く確保する必要がないため、トイレットペーパー、ペーパータオル、キッチンペーパー等のロール状ペーパーの製造現場において、好適に用いることができる。
【実施例】
【００３０】
以下、本発明を実施例に基づいてさらに詳細に説明するが、本発明はこれらの実施例に限定されるものではない。
【００３１】
以下の方法により、トイレットペーパーの巻き硬さを判定した。シリンダー状の錘収納部３ａ（外径３８ｍｍ（内径３０ｍｍ）×高さ５０ｍｍ）を備えた水平な台座３（縦１５０ｍｍ×横２００ｍｍ×厚さ１０ｍｍ）上に、１プライのトイレットペーパー１（外径１０７ｍｍ（内径３８ｍｍ）×長さ１１４ｍｍ）をその中心軸が水平になるように横置きし、このトイレットペーパー１の胴部外周と台座との接触部１ａからロール芯の最下端部１ｂまでの高さ５ａを定規４を用いて測定した。測定結果は３１ｍｍであった。
【００３２】
続いて、同じトイレットペーパー１のロール芯内部１ｃに、円柱形状の錘２（重量５８５ｇ、直径２９ｍｍ×長さ１１４ｍｍ、材質：ＳＳ４００）を入れ、このトイレットペーパー１の胴部外周と台座との接触部１ａからロール芯の最下端部１ｂまでの高さ５ｂを定規４を用いて測定した。測定結果は２９．５ｍｍであった。
【００３３】
求めた沈み込み深さの値は１．５ｍｍであり、設定した０．５〜３ｍｍの範囲に含まれることが確認された。尚、一連の工程に要した時間は、約２５秒であった。
【産業上の利用可能性】
【００３４】
本発明のロール状ペーパーの巻き硬さ判定方法は、消費者のニーズにあった巻き硬さのロール状ペーパーを市場に確実に供給するための品質検査方法として、好適に用いられる。本発明のロール状ペーパーの巻き硬さ判定方法は、簡易性、低コスト、省スペース、省所要時間等を実現しており、産業上の利用価値は大なるものである。
【図面の簡単な説明】
【００３５】
【図１Ａ】本発明の一実施形態であるトイレットペーパーの巻き硬さ判定方法の工程１を示す模式図である。
【図１Ｂ】本発明の一実施形態であるトイレットペーパーの巻き硬さ判定方法の工程２を示す模式図である。
【図２】本発明の一実施形態であるトイレットペーパーの巻き硬さ判定治具を示す斜視図である。
【符号の説明】
【００３６】
１：トイレットペーパー、１ａ：胴部外周と台座との接触部、１ｂ：ロール芯の最下端部、１ｃ：ロール芯内部、２：錘、３：台座、３ａ：錘収納部、４：定規、５ａ、５ｂ：高さ。
【図１Ａ】
0005140873.tif 000002
【図１Ｂ】
0005140873.tif 000003
【図２】
0005140873.tif 000004